(57)【要約】【課題】吊り下げた景品を打ち落とすことを目的とするいわゆる射的ゲームのような遊技機において、あと何発の命中で景品の獲得に至るかの目安を遊技者に認識させることで、かかる遊技機の興趣を増大させる。【解決手段】景品支持部５０を有する遊技機４０において、この景品支持部５０から景品３０を吊り下げるための景品吊り下げ具１０であって、複数の開口部２０が設けられた、破れやすいシート状のターゲット１１と、前記ターゲット１１の一端に設けられる、前記景品支持部５０から吊り下げられるための吊り下げ部１３と、前記ターゲット１１の他端に設けられる、景品３０を固定するための景品固定部１６とを備える。【選択図】  図１
2004248776.tif 000002
【特許請求の範囲】
【請求項１】
景品支持部を有する遊技機において、この景品支持部から景品を吊り下げるための景品吊り下げ具であって、
複数の開口部が設けられた、破れやすいシート状のターゲットと、
前記ターゲットの一端に設けられる、前記景品支持部から吊り下げられるための吊り下げ部と、
前記ターゲットの他端に設けられる、景品を固定するための景品固定部とを備えたことを特徴とする景品吊り下げ具。
【請求項２】
前記開口部は、孔として設けられたことを特徴とする請求項１記載の景品吊り下げ具。
【請求項３】
前記開口部は、景品を吊り下げた状態において上下方向に走るスリットとして設けられたことを特徴とする請求項１記載の景品吊り下げ具。
【請求項４】
棒状の景品支持部を有する遊技機において、この景品支持部から景品を吊り下げるための景品吊り下げ具であって、
複数の開口部が設けられた破れやすいシートがロール状に成形されたターゲットと、
前記ターゲットの軸心部に設けられる軸孔であって、前記景品支持部が挿入されることで同景品支持部から吊り下げられるための吊り下げ部と、
前記ターゲットの端に設けられる、景品を固定するための景品固定部とを備えたことを特徴とする景品吊り下げ具。
【発明の詳細な説明】
【０００１】
【発明の属する技術分野】
本発明は、いわゆる射的ゲームのような、吊り下げた景品を打ち落とすことを目的とする遊技機における、景品の吊り下げ具に関する。
【０００２】
【従来の技術】
従来、射的を遊技機で再現した、いわゆる射的ゲームというものが提供されている。このような遊技機に関する従来技術として、下記の特許文献１に示すようなものがある。この特許文献１に示す従来技術においては、景品は破れやすい材質で作られたターゲットで吊り下げられている。そして、このターゲットは、遊技者が銃により発射した弾丸が数回命中することで破れ、その結果景品が落下して、遊技者の獲得するところとなる。
【０００３】
【特許文献１】
特許第２９７１４６６号公報
【０００４】
【発明が解決しようとする課題】
上記従来技術においては、景品が落下するまでには数発の弾丸の命中が必要となっている。しかし、具体的に何発で落下に至るかは、弾丸の命中の具合によりその都度異なる。すなわち、このターゲットは、景品の落下に至るまでに、弾丸の命中により一部は破れているものの、他の部分は破れ残った状態で、景品が依然として吊り下げられた状態を保っていることとなる。このような状態のとき、遊技者にとっては、次にターゲットのどこに弾丸を命中させれば景品が最も落下しやすくなるかを容易に認識することができれば、さらにこのような遊技機の興趣は増すものと考えられる。
【０００５】
そこで、本発明は、吊り下げた景品を打ち落とすことを目的とするいわゆる射的ゲームのような遊技機において、あと何発の命中で景品の獲得に至るかの目安を遊技者に認識させることで、かかる遊技機の興趣を増大させることを目的とする。
【０００６】
【課題を解決するための手段】
上記の課題に鑑み、本発明は、景品支持部５０を有する遊技機４０において、この景品支持部５０から景品３０を吊り下げるための景品吊り下げ具１０であって、複数の開口部２０が設けられた、破れやすいシート状のターゲット１１と、前記ターゲット１１の一端に設けられる、前記景品支持部５０から吊り下げられるための吊り下げ部１３と、前記ターゲット１１の他端に設けられる、景品３０を固定するための景品固定部１６とを備えたことを特徴とする。
【０００７】
ターゲット１１を形成する「破れやすいシート」としては、紙が適している。ただ、紙と同様の破れやすさを備えるものであれば、紙以外の材質を採用しても差し支えない。
また、ターゲット１１の「開口部２０」とは、ターゲット１１の表面と裏面とを貫通する構造をいう。なお、この開口部２０の形状としては、様々なものが可能である。たとえば、孔として設けられることとしてもよい。また、景品３０を吊り下げた状態において上下方向に走るスリット又は切れ目として設けられることとしてもよい。
【０００８】
「吊り下げ部１３」としては、遊技機４０の景品支持部５０の形状に応じて、様々な形状のものが可能である。たとえば、景品支持部５０がフック状の形状を有しているときには、このフックに係合するような、たとえば孔を有する構造としてもよい。なお、この吊り下げ部１３への荷重で吊り下げ部１３自体が（たとえば、上記の例では孔の部分から）破れることを避けるために、吊り下げ部１３には厚紙を貼り付けるなどして補強することが望ましい。
【０００９】
「景品固定部１６」とは、景品３０が固定される部分をいう。この景品３０の固定とは、景品３０自体を直に固定することとしても、また、景品３０を袋等に封入して、この袋等を固定することとしてもよい。さらに、この固定の方法としては様々なものが可能である。たとえば、景品３０を封入した袋等を両面テープ１７で接着したり、ステープルで止めたりすることが可能である。なお、この景品固定部１６への荷重で景品固定部１６自体が破れることを避けるために、景品固定部１６には厚紙を貼り付けるなどして補強することが望ましい。
【００１０】
また、本発明は、棒状の景品支持部５０を有する遊技機４０において、この景品支持部５０から景品３０を吊り下げるための景品吊り下げ具１０であって、複数の開口部２０が設けられた破れやすいシートがロール状に成形されたターゲット１１と、前記ターゲット１１の軸心部に設けられる軸孔１５であって、前記景品支持部５０が挿入されることで同景品支持部５０から吊り下げられるための吊り下げ部１３と、前記ターゲット１１の端に設けられる、景品３０を固定するための景品固定部１６とを備えたことを特徴とする景品吊り下げ具１０としてもよい。
【００１１】
すなわち、前記のシート状のターゲット１１をロール状に成形して、そのロールの軸心部の軸孔１５に、棒状の景品支持部５０を挿入することで、ターゲット１１が遊技機４０に吊り下げられることとなる。そして、そのロールを適当な長さに引き出して垂れ下がるようにして、その端に両面テープ１７等で景品固定部１６を設け、これにより景品３０を固定する。このとき、吊り下げたロールが回転することで遊技中にターゲット１１がさらに引き出されるのを防止するために、ロールの回転を防止する回転止め５３を設けることが望ましい。
【００１２】
この構成によって、前記と同様に景品３０を吊り下げることができるのに加え、景品３０が打ち落とされた後、ロールを再度引き出すことで再びターゲット１１を準備することができる。さらに、ターゲット１１の引き出す長さを適宜調節することで遊技の難易度も容易に設定可能である。
【００１３】
【発明の実施の形態】
以下、本発明の実施の形態を、図面を参照しつつ説明する。なお、以下に示す各実施の形態における仕様はあくまでも例示であり、本発明はそれらに限定されないことはいうまでもない。
（１）第１の実施の形態
図１は、本発明の第１の実施の形態に係る景品吊り下げ具１０を正面図で示したものである。
【００１４】
本実施の形態に係る景品吊り下げ具１０は、縦１３０ｍｍ、横８０ｍｍの紙製シートから形成される。すなわち、そのシートの上部２０ｍｍの部分の両面から厚紙を貼付して吊り下げ部１３とし、またその下部２０ｍｍの部分の両面から厚紙を貼付して景品固定部１６とし、その残りの縦９０ｍｍ部分がターゲット１１となっている。
ターゲット１１は、エアメール便箋と同様の紙質の紙製である。このターゲット１１には、図１に示すように、直径６ｍｍのシート孔２１が計１０個設けられている。
【００１５】
吊り下げ部１３には、２個のフック孔１４が設けられている。
景品固定部１６には、片面の剥離紙を付けたままの両面テープ１７が貼付されている。
図２は、本実施の形態に係る景品吊り下げ具１０が使用される遊技機４０を正面斜視図で示したものである。
【００１６】
遊技機４０の筐体４１奥側の内部に、上下二段にわたって景品３０が吊り下げられている。景品３０は、景品封入袋３１に封入された状態で、景品吊り下げ具１０を介して吊り下げられる。
筐体４１の手前側はカウンター４２となっており、その上に３丁の空圧銃４４が設置されている。この空圧銃４４は、１２ｍｍ径のポリプロピレン製弾丸（以下、「弾丸」）を空圧により発射可能に形成されている。
【００１７】
また、カウンター４２正面には各空圧銃４４に対応したコインスロット４３が設けられている。さらに、コインスロット４３の下方には、遊技者が打ち落とした景品３０が払い出される景品払出口４７が設けられている。
吊り下げられた景品３０は、平面視で時計回りに常に移動している。すなわち、遊技者から見ると、右から左へ景品３０が移動していくこととなっている。そして、遊技者が、コインスロット４３に所定額のコインを投入すると、筐体４１奥側前面の７セグによる残弾表示器４６に「１０」という数字が点灯する。この残弾表示器４６の表示は、発射可能な残弾数を示すものである。そして、弾丸供給管４５を通じて、空圧銃４４内に弾丸が装填される。この状態で、空圧銃４４の引き金を引いて弾丸を発射することが可能となる。
【００１８】
図３Ａは、本実施の形態に係る景品吊り下げ具１０の使用状態を示したものである。景品３０は、景品封入袋３１に封入され、剥離紙をはがした両面テープ１７によって景品固定部１６に貼り付けられる。さらに、遊技機４０の景品支持部５０である景品フック５１に吊り下げ部１３のフック孔１４を係合させることで、景品３０は、景品吊り下げ具１０を介して吊り下げられた状態で、上述のように移動することとなる。
【００１９】
遊技者は、移動するターゲット１１に狙いを定めて引き金を引き、うまく弾丸が命中すると紙製のターゲット１１は破れることとなる（図３Ｂ）。このとき、１回の命中のみでは、紙の破れ目２４がシート孔２１で止まることとなるため、ターゲット１１の全体が破れる可能性は低い。したがって、景品３０を打ち落とすためには、ターゲット１１に複数回弾丸を命中させる必要がある（図３Ｃ）。すなわち、ターゲット１１の破れ残りの部分が、シート孔２１によって明瞭に認識可能となっているため、少なくともあと何発命中させる必要があるかが、遊技者にわかりやすくなっている。それとともに、たった１発の命中でターゲット１１が破れ落ちる可能性が低くなっている。
【００２０】
さて、空圧銃４４から弾丸が発射されるたびに、残弾表示器４６の数字が１ずつ減少し、「０」になったところでゲームオーバーとなり、弾丸の発射は不可能となる。この時点までに、景品３０を打ち落とすことができたときには（図３Ｄ）、その景品３０は景品払出口４７から払い出されることとなっている。
（２）第２の実施の形態
図４は、本発明の第２の実施の形態に係る景品吊り下げ具１０を正面図で示したものである。
【００２１】
ターゲット１１の材質及び大きさ、並びに吊り下げ部１３及び景品固定部１６の形状は、前記第１の実施の形態と同様である。ただ、本実施の形態においては、ターゲット１１の開口部２０が、縦方向の幅５ｍｍの３本のスリット２２となっている。
本実施の形態に係る景品吊り下げ具１０による景品３０の吊り下げ及び遊技の方法は、前記第１の実施の形態と同様である。すなわち、ターゲット１１に１回弾丸が命中したのみでは、紙の破れ目２４がスリット２２で止まることとなるため、ターゲット１１の全体が破れる可能性は低い。したがって、景品３０を打ち落とすためには、ターゲット１１に複数回弾丸を命中させる必要がある。すなわち、ターゲット１１の破れ残りの部分が、スリット２２によって明瞭に認識可能となっているため、少なくともあと何発命中させる必要があるかが、遊技者にわかりやすくなっている。それとともに、たった１発の命中でターゲット１１が破れ落ちる可能性が低くなっている。
【００２２】
（３）第３の実施の形態
図５は、本発明の第３の実施の形態に係る景品吊り下げ具１０を正面図で示したものである。
ターゲット１１の材質及び大きさ、並びに吊り下げ部１３及び景品固定部１６の形状は、前記第１の実施の形態と同様である。ただ、本実施の形態においては、ターゲット１１の開口部２０が、縦方向の４本の切れ目２３となっている。
【００２３】
本実施の形態に係る景品吊り下げ具１０による景品３０の吊り下げ及び遊技の方法は、前記第１の実施の形態と同様である。すなわち、ターゲット１１に１回弾丸が命中したのみでは、紙の破れ目２４が切れ目２３で止まることとなるため、ターゲット１１の全体が破れる可能性は低い。したがって、景品３０を打ち落とすためには、ターゲット１１に複数回弾丸を命中させる必要がある。すなわち、ターゲット１１の破れ残りの部分が、切れ目２３によって明瞭に認識可能となっているため、少なくともあと何発命中させる必要があるかが、遊技者にわかりやすくなっている。それとともに、たった１発の命中でターゲット１１が破れ落ちる可能性が低くなっている。
【００２４】
（４）第４の実施の形態
図６は、本発明の第４の実施の形態に係る景品吊り下げ具１０を正面斜視図で示したものである。
本実施の形態においては、ターゲット１１は、ロール紙１２として形成されている。そして、このロール紙１２には、前記第１の実施の形態と同様のシート孔２１が設けられるとともに、その材質及び幅についても、前記第１の実施の形態と同様である。
【００２５】
このロール紙１２の軸心部は、中空の軸孔１５となっている。この軸孔１５には、景品支持部５０としての支持軸５２が挿入される。すなわち、この軸孔１５が、吊り下げ部１３として機能することとなっている。
図７は、本実施の形態に係る景品吊り下げ具１０の使用状態のいくつかのバリエーションを示したものである。本実施の形態においては、景品３０は以下のようにしてセットされる。
【００２６】
（４−１）第１のバリエーション
図７Ａに示す第１のバリエーションにおいては、景品支持部５０としての支持軸５２の下方に、前後２個の回転しないローラー５４（図中での左側を前方とする。）が回転止め５３として設けられている。そして、前方のローラー５４の手前に、ガイド板５５が設けられている。
【００２７】
そして、ロール紙１２の軸孔１５に、景品支持部５０としての支持軸５２が挿入される。景品３０をセットする際には、適当な長さにロール紙１２を引き出して、その先端を後方のローラー５４の下部から２個のローラー５４の間を通し、前方のローラー５４の上部からガイド板５５との間を通し、下方へ垂れ下がるようにする。すなわち、このローラー５４より下方へ垂れ下がった部分がターゲット１１となり、２個のローラー５４との摩擦によって、ロール紙１２が景品３０の重みでさらに引き出されることが防止されている。
【００２８】
そして、ターゲット１１の先端に両面テープ１７又はステープルで景品３０（又は景品３０を封入した景品封入袋３１）を貼付する。こうして、前記第１の実施の形態と同様に、景品３０の移動は可能となっている。また、景品３０が獲得されたあとも、ロール紙１２を下方へ繰り出すことで、再度景品３０をセットすることが容易ともなっている。さらに、ロール紙１２の長さを調節することで、景品３０獲得の難易度を容易に調節することも可能となっている。
【００２９】
（４−２）第２のバリエーション
図７Ｂに示す第２のバリエーションにおいては、景品支持部５０としての支持軸５２の下方に、互いに係合し合う凹部５６及び凸部５７を備えた樹脂製の回転止め５３が設けられている。
そして、ロール紙１２の軸孔１５に、景品支持部５０としての支持軸５２が挿入される。景品３０をセットする際には、適当な長さにロール紙１２を引き出して、これを回転止め５３の凹部５６と凸部５７とで挟んで止める。すなわち、この回転止め５３より下方へ垂れ下がった部分がターゲット１１となり、凹部５６及び凸部５７にて挟まれているためロール紙１２がさらに引き出されることはない。
【００３０】
そして、ターゲット１１の先端に両面テープ１７又はステープルで景品３０（又は景品３０を封入した景品封入袋３１）を貼付する。こうして、前記第１の実施の形態と同様に、景品３０の移動は可能となっている。また、景品３０が獲得されたあとも、凹部５６及び凸部５７の係合を解除してからロール紙１２を下方へ繰り出すことで、再度景品３０をセットすることが容易ともなっている。さらに、ロール紙１２の長さを調節することで、景品３０獲得の難易度を容易に調節することも可能となっている。
【００３１】
（４−３）第３のバリエーション
図７Ｃに示す第３のバリエーションにおいては、景品支持部５０としての支持軸５２の下方に、下方へ行くに従い狭くなるくさび状の内部空間を有するガイド部５８と、その内部空間に落とし込まれる丸棒５９とが回転止め５３として設けられている。
【００３２】
そして、ロール紙１２の軸孔１５に、景品支持部５０としての支持軸５２が挿入される。景品３０をセットする際には、適当な長さにロール紙１２を引き出して、これをガイド部５８の内部空間に通す。そして、その内部空間の中に丸棒５９を落とし込む。すなわち、この回転止め５３より下方へ垂れ下がった部分がターゲット１１となり、丸棒５９の重量と紙の引っ張り力とで生ずる食い込み摩擦により、ロール紙１２がさらに引き出されることはない。
【００３３】
そして、ターゲット１１の先端に両面テープ１７又はステープルで景品３０（又は景品３０を封入した景品封入袋３１）を貼付する。こうして、前記第１の実施の形態と同様に、景品３０の移動は可能となっている。また、景品３０が獲得されたあとも、丸棒５９を取り外してからロール紙１２を下方へ繰り出すことで、再度景品３０をセットすることが容易ともなっている。さらに、ロール紙１２の長さを調節することで、景品３０獲得の難易度を容易に調節することも可能となっている。
【００３４】
【発明の効果】
本発明は、上述のように構成されているので、以下に記す効果を奏する。
すなわち、本発明によると、吊り下げた景品を打ち落とすことを目的とするいわゆる射的ゲームのような遊技機において、あと何発の命中で景品の獲得に至るかの目安を遊技者に認識させることで、かかる遊技機の興趣を増大させることが可能となる。
【図面の簡単な説明】
【図１】本発明の第１の実施の形態に係る景品吊り下げ具を正面図で示したものである。
【図２】本発明の第１の実施の形態に係る景品吊り下げ具が使用される遊技機を正面斜視図で示したものである。
【図３】本発明の第１の実施の形態に係る景品吊り下げ具の使用状態を示したものである。
【図４】本発明の第２の実施の形態に係る景品吊り下げ具を正面図で示したものである。
【図５】本発明の第３の実施の形態に係る景品吊り下げ具を正面図で示したものである。
【図６】本発明の第４の実施の形態に係る景品吊り下げ具を構成するロール紙を正面斜視図で示したものである。
【図７】本発明の第４の実施の形態に係る景品吊り下げ具の使用状態を示したものである。
【符号の説明】
１０  景品吊り下げ具        １１  ターゲット
１２  ロール紙              １３  吊り下げ部
１４  フック孔              １５  軸孔
１６  景品固定部            １７  両面テープ
２０  開口部                ２１  シート孔
２２  スリット              ２３  切れ目
２４  破れ目
３０  景品                  ３１  景品封入袋
４０  遊技機                ４１  筐体
４２  カウンター            ４３  コインスロット
４４  空圧銃                ４５  弾丸供給管
４６  残弾表示器            ４７  景品払出口
５０  景品支持部            ５１  景品フック
５２  支持軸                ５３  回転止め
５４  ローラー              ５５  ガイド板
５６  凹部                  ５７  凸部
５８  ガイド部              ５９  丸棒
【図１】
2004248776.tif 000003
【図２】
2004248776.tif 000004
【図３】
2004248776.tif 000005
【図４】
2004248776.tif 000006
【図５】
2004248776.tif 000007
【図６】
2004248776.tif 000008
【図７】
2004248776.tif 000009